(57)【要約】【課題】本発明は、各部屋にカラオケ機器が設置されたカラオケボックスにおいて、各カラオケルームの利用者が情報伝達を行うことを課題とする。【解決手段】本発明は、各カラオケルームに設置された入力手段２０５及び表示手段２０３と、前記入力手段２０５からのデータを受け取るサーバ１００とからなるシステムであり、入力手段２０５が、他のカラオケルーム利用者に来室を許容するか否かの来室許容情報と他のカラオケルームに訪室を希望するか否かの訪室希望情報とを入力可能で、サーバ１００は、各カラオケルームからの来室許容情報・訪室希望情報の照合を行い、表示手段２０３は、この照合結果に関する情報を表示するように設けられている。【選択図】    図１
2004219630.tif 000002
【特許請求の範囲】
【請求項１】
各カラオケルームにそれぞれ設置された入力手段と、各カラオケルームにそれぞれ設置された表示手段と、前記入力手段からのデータを受け取るサーバとからなり、
前記入力手段は、そのカラオケルーム利用者が他のカラオケルーム利用者に来室を許容するか否かの来室許容情報と、そのカラオケルーム利用者が他のカラオケルームに訪室を希望するか否かの訪室希望情報とを入力可能に設けられているとともに、前記サーバに対して入力された来室許容情報及び／又は訪室希望情報を送るように設けられ、
前記サーバは、前記入力手段から送られた来室許容情報及び／又は訪室希望情報についていずれのカラオケルームからの情報であるかを認識するとともに、他のカラオケルームからの来室許容情報及び／又は訪室希望情報との照合を行い、その照合結果に関する情報を来室許容情報及び／又は訪室希望情報を送ったカラオケルームの表示手段に送るように設けられ、
前記表示手段は、前記サーバから送られた照合結果に関する情報を表示するように設けられていることを特徴とする
複数のカラオケルームにおける情報伝達システム。
【請求項２】
請求項１記載の情報伝達システムであって、
前記入力手段は、サーバにその部屋識別情報を送るように設けられており、
前記サーバは、この部屋識別情報に基いて送られた来室許容情報及び／又は訪室希望情報についていずれのカラオケルームからの情報であるかを認識するように設けられていることを特徴とする
複数のカラオケルームにおける情報伝達システム。
【請求項３】
請求項１又は２記載の情報伝達システムであって、
前記入力手段は、そのカラオケルームの利用者の年齢・性別等のメンバー情報を入力可能に設けられているとともに、このメンバー情報をサーバに送るように設けられていることを特徴とする
複数のカラオケルームにおける情報伝達システム。
【請求項４】
請求項１乃至３のいずれかに記載の情報伝達システムであって、
前記サーバは、入力された各カラオケルームの利用者の年齢・性別等のメンバー情報に基いて他のカラオケルームからの来室許容情報及び／又は訪室希望情報との照合を行うように設けられていることを特徴とする
複数のカラオケルームにおける情報伝達システム。
【請求項５】
請求項１乃至４のいずれかに記載の情報伝達システムであって、
前記サーバは、入力された各カラオケルームの利用者の年齢・性別等のメンバー情報を他のカラオケルームに照合結果に関する情報とともに送り、
前記表示手段は、前記照合結果に関する情報とともに前記メンバー情報を表示するように設けられていることを特徴とする
複数のカラオケルームにおける情報伝達システム。
【請求項６】
請求項１乃至５のいずれかに記載の情報伝達システムであって、
前記入力手段は、来室許容情報又は訪室希望情報を入力する際に来室を許容する性別・年齢等の来室許容条件又は訪室希望条件を入力可能に設けられているとともに、前記来室許容情報又は訪室希望情報の送信に際して来室許容条件又は訪室希望条件もサーバに送るように設けられていることを特徴とする
複数のカラオケルームにおける情報伝達システム。
【請求項７】
請求項１乃至６のいずれかに記載の情報伝達システムであって、
前記サーバは、入力された各カラオケルームの利用者が、来室を許容する又は訪室を希望する他のメンバーの性別・年齢等の来室許容条件または訪室希望条件に基いて他のカラオケルームからの訪室希望情報又は来室許容情報との照合を行うように設けられていることを特徴とする
複数のカラオケルームにおける情報伝達システム。
【請求項８】
請求項１乃至７のいずれかに記載の情報伝達システムであって、
前記サーバは、入力された各カラオケルームの利用者が、来室を許容する又は訪室を希望する他のメンバーの性別・年齢等の来室許容条件または訪室希望条件を他のカラオケルームに照合結果に関する情報とともに送り、
前記表示手段は、前記照合結果に関する情報とともに来室許容条件または訪室希望条件を表示するように設けられていることを特徴とする
複数のカラオケルームにおける情報伝達システム。
【請求項９】
請求項１乃至８のいずれかに記載の情報伝達システムであって、
前記入力手段は、そのカラオケルームの利用者が歌う曲に関する曲情報を入力可能に設けられているとともに、この曲情報をサーバに送るように設けられていることを特徴とする
複数のカラオケルームにおける情報伝達システム。
【請求項１０】
請求項９記載の情報伝達システムであって、
前記入力手段は、カラオケ機器から曲情報の入力を受けるように設けられていることを特徴とする
複数のカラオケルームにおける情報伝達システム。
【請求項１１】
請求項１乃至１０のいずれかに記載の情報伝達システムであって、
前記サーバは、入力された各カラオケルームの利用者が歌う曲に関する曲情報に基いて他のカラオケルームからの来室許容情報及び／又は訪室希望情報との照合を行うように設けられていることを特徴とする
複数のカラオケルームにおける情報伝達システム。
【請求項１２】
請求項１乃至１１のいずれかに記載の情報伝達システムであって、
前記サーバは、入力された各カラオケルームの利用者が歌う曲に関する曲情報を他のカラオケルームに照合結果に関する情報とともに送り、
前記表示手段は、前記照合結果に関する情報とともに前記曲情報を表示するように設けられていることを特徴とする
複数のカラオケルームにおける情報伝達システム。
【請求項１３】
請求項１乃至１２のいずれかに記載の情報伝達システムであって、
前記入力手段は、前記表示手段に表示された照合結果に関する情報に関して来室を許可するか否かについて来室許可確認情報を入力可能に設けられるとともに、サーバにこの来室許可確認情報を送るように設けられ、
前記サーバは、受け取った来室許可確認情報を、照合結果の相手方のカラオケルームの表示手段に送り、
前記表示手段は、来室許可確認情報を表示するように設けられていることを特徴とする
複数のカラオケルームにおける情報伝達システム。
【請求項１４】
請求項１乃至１３のいずれかに記載の情報伝達システムであって、
前記入力手段は、前記表示手段に表示された照合結果に関する情報に関して訪室を希望するか否かについて訪室希望確認情報を入力可能に設けられるとともに、サーバにこの訪室希望確認情報を送るように設けられ、
前記サーバは、受け取った訪室希望確認情報を、照合結果の相手方のカラオケルームの表示手段に送り、
前記表示手段は、訪室希望確認情報を表示するように設けられていることを特徴とする
複数のカラオケルームにおける情報伝達システム。
【請求項１５】
請求項１乃至１４のいずれかに記載の情報伝達システムであって、
来室許可情報を送信した入力手段は、前記表示手段に表示された照合結果に関する情報に関して来室を許可するか否かについて来室許可確認情報を入力可能に設けられるとともに、サーバにこの来室許可確認情報を送るように設けられ、
訪室希望情報を送信した入力手段は、前記表示手段に表示された照合結果に関する情報に関して訪室を希望するか否かについて訪室希望確認情報を入力可能に設けられるとともに、サーバにこの訪室希望確認情報を送るように設けられ、
前記サーバは、受け取った来室許可確認情報と訪室希望確認情報とが合致するかを判断し、合致する場合には一方のカラオケルームの表示手段に対して来室許可確認情報又は訪室希望確認情報を送るように設けられており、
この来室許可確認情報又は訪室希望確認情報が送られた表示手段は、来室許可確認情報又は訪室希望確認情報を表示するように設けられていることを特徴とする
複数のカラオケルームにおける情報伝達システム。
【請求項１６】
請求項１３乃至１５のいずれかに記載の情報伝達システムであって、
前記入力手段は、来室許可確認情報又は訪室希望確認情報を入力する際に、その来室を許可する時間や訪室を希望する時間等の付加情報を入力可能に設けられるとともにこの付加情報をサーバに送るように設けられており、
前記サーバは、受け取った付加情報を、照合結果の相手方のカラオケルームの表示手段に送り、
前記表示手段は、来室許可確認情報又は訪室希望確認情報とともに付加情報を表示するように設けられていることを特徴とする
複数のカラオケルームにおける情報伝達システム。
【請求項１７】
請求項１乃至１６のいずれかに記載の情報伝達システムであって、
前記入力手段によって来室許容情報について来室不可とし訪室希望情報について否を入力した場合には、そのカラオケルームの表示手段には、他のカラオケルームの来室許容情報及び訪室希望情報が表示されないように設けられていることを特徴とする
複数のカラオケルームにおける情報伝達システム。
【発明の詳細な説明】
【０００１】
【発明の属する技術分野】
本願発明は、各部屋においてカラオケ機器が設置されたカラオケルームにおいて各部屋ごとに情報伝達が可能な情報伝達システムに関する発明である。
【０００２】
【従来の技術】
従来よりカラオケルームにあっては、各カラオケルームにおいて利用者（のグループ）がそれぞれカラオケ機器を利用して、それぞれの歌唱を楽しむために利用されている。
【０００３】
しかるに、歌唱を行う者は、他人に自らの歌を聞いてもらいたいと思う場合もあり、また逆に他人の歌を聞きたいと思う者も存在するが、いわゆる上述したカラオケルームにおいて同一のメンバーでのみしか、このような要求に応じられない。
【０００４】
また、複数のカラオケルームを有するカラオケボックスにおいて、異なるカラオケルームに居る人との間でデュエットを楽しむための情報提供システムがある（例えば、特許文献１参照）。
【０００５】
かかる情報提供システムは、『所定の情報提供処理を実行可能な複数の情報提供端末と、該情報提供端末を管理するための集中管理装置と、前記情報提供端末と集中管理装置及び情報提供端末同士を接続可能なネットワークとを備える情報提供システムであって、前記情報提供端末は、利用者からの指示に基づき、前記集中管理装置に対して所定の利用者プロフィール情報公開の要求を通知可能とされており、前記集中管理装置は、前記各情報提供端末の利用者プロフィール情報を記憶していると共に、ある情報提供端末から前記利用者プロフィール情報公開の要求があれば、少なくとも当該要求に応じた他の情報提供端末の利用者プロフィール情報を、当該要求をした情報提供端末に対して供給するよう構成されており、前記利用者プロフィール情報を供給された情報提供端末は、その利用者プロフィール情報を出力するよう構成されていることを特徴とする情報提供システム』である。
【０００６】
【特許文献１】
特開平１０−２６８８８５号公報
【０００７】
【発明が解決しようとする課題】
しかしながら、上記特許文献１記載の技術では、公開されている利用者プロフィールのすべてが公開を要求した情報提供端末に出力されることになる。従って、公開をしてもよいと思われる相手方のみならず、公開したくないと思う相手方にまで自己の利用者プロフィールが公開されるため、利用者にとっては心理的抵抗が高く、実際には利用されないことが多いと考えられる。
【０００８】
そこで、本願発明は、上記事情に鑑みて創案されたもので、各部屋にカラオケ機器が設置されたカラオケボックスにおいて、自己の希望に合致した者に対してのみ来室を許可することができるようにし、各カラオケルームの利用者がより積極的に情報伝達を行うことのできる複数のカラオケルームにおける情報伝達システムを提供することを課題とする。
【０００９】
【課題を解決するための手段】
本願発明に係る複数のカラオケルームにおける情報伝達システムは、各カラオケルームにそれぞれ設置された入力手段と、各カラオケルームにそれぞれ設置された表示手段と、前記入力手段からのデータを受け取るサーバとからなり、前記入力手段は、そのカラオケルーム利用者が他のカラオケルーム利用者に来室を許容するか否かの来室許容情報と、そのカラオケルーム利用者が他のカラオケルームに訪室を希望するか否かの訪室希望情報とを入力可能に設けられているとともに、前記サーバに対して入力された来室許容情報及び／又は訪室希望情報を送るように設けられ、前記サーバは、前記入力手段から送られた来室許容情報及び／又は訪室希望情報についていずれのカラオケルームからの情報であるかを認識するとともに、他のカラオケルームからの来室許容情報及び／又は訪室希望情報との照合を行い、その照合結果に関する情報を来室許容情報及び／又は訪室希望情報を送ったカラオケルームの表示手段に送るように設けられ、前記表示手段は、前記サーバから送られた照合結果に関する情報を表示するように設けられていることを特徴とする。
【００１０】
上記構成からなる本願請求項１記載の発明にあっては、各カラオケルームにおける利用者は、来室許容情報又は／及び訪室希望情報を入力手段によって入力することができ、このようにして入力されたデータによりサーバが各カラオケルームの来室許容情報又は／及び訪室希望情報を照合して、照合結果に関する情報が来室許容情報及び／又は訪室希望情報を送ったカラオケルームの表示手段に表示することになるため、他のカラオケルームとの情報伝達を図ることができる。つまり、一のカラオケルーム利用者がたとえば他人に歌を聴いてもらいたいと思い来室許容情報を送り、他のカラオケルームの利用者がたとえば他人の歌を聴きたいと思い訪室希望情報を送り、これらの情報を互いにサーバが照合して、その照合結果が他人である他のカラオケルーム利用者に認識させることでき、このため、従来の枠を超えたカラオケの楽しみ方を可能とする。
【００１１】
また、本願発明に係るシステムにあっては、請求項２記載のように、前記入力手段が、サーバにその部屋識別情報を送るように設けられており、前記サーバは、この部屋識別情報に基いて送られた来室許容情報及び／又は訪室希望情報についていずれのカラオケルームからの情報であるかを認識するように設けられていることが好ましい。
【００１２】
かかる構成を採用することにより、サーバが、入力手段から送られた来室許容情報及び／又は訪室希望情報についていずれのカラオケルームからの情報であるかを、部屋識別情報をもとに容易に認識することができるという利点を有する。なお、この部屋識別情報は、入力手段によって利用者が入力するように設けることも可能であるが、入力手段が、部屋識別情報を記憶しており（例えばメモリに部屋識別情報が記憶され）、その記憶された部屋識別情報を入力手段が来室許容情報及び／又は訪室希望情報とともにサーバに送るように設けられていることが好ましい。これにより、各カラオケルームの利用者が部屋番号を別途入力する作業を省くことが可能となる。
【００１３】
また、本願発明に係るシステムにあっては、請求項３記載のように、前記入力手段が、そのカラオケルームの利用者の年齢・性別等のメンバー情報を入力可能に設けられているとともに、このメンバー情報をサーバに送るように設けられていることが好ましい。
【００１４】
かかる構成を採用することにより、例えば、サーバが各カラオケルームの情報を照合する際に、このメンバー情報を条件として照合することが可能となる。また、このメンバー情報を他のカラオケルームの表示手段に表示することも可能となる。特に、これらの情報（メンバー情報）をカラオケルーム入店時に利用者が記載しその記載事項を従業員がサーバに入力する場合に比して、従業員の作業を低減することができるという利点を有する。
【００１５】
また、本願発明に係るシステムにあっては、請求項４記載のように、サーバが、入力された各カラオケルームの利用者の年齢・性別等のメンバー情報に基いて他のカラオケルームからの来室許容情報及び／又は訪室希望情報との照合を行うように設けられている構成を採用することが好ましい。
【００１６】
かかる構成を採用することにより、来室許容又は訪室希望のメンバー情報に基づいてサーバが照合するため、照合結果に対する利用者の満足度を高めることが可能となる。
【００１７】
また、本願発明に係るシステムにあっては、請求項５記載のように、サーバが、入力された各カラオケルームの利用者の年齢・性別等のメンバー情報を他のカラオケルームに照合結果に関する情報とともに送り、表示手段が、前記照合結果に関する情報とともに前記メンバー情報を表示するように設けられている構成を採用することが好ましい。
【００１８】
かかる構成を採用することにより、訪室希望又は来室許容のメンバーが照合結果に関する相手のメンバーの情報を予め知ることができる。
【００１９】
また、本願発明に係るシステムにあっては、請求項６記載のように、入力手段が、来室許容情報又は訪室希望情報を入力する際に来室を許容する性別・年齢等の来室許容条件又は訪室希望条件を入力可能に設けられているとともに、来室許容情報又は訪室希望情報の送信に際して来室許容条件又は訪室希望条件もサーバに送るように設けられていることが好ましい。
【００２０】
かかる構成を採用することにより、例えば、サーバが各カラオケルームの情報を照合する際に、この来室許容情報及び／又は訪室希望情報を条件として照合することが可能となる。また、この来室許容情報及び／又は訪室希望情報を他のカラオケルームの表示手段に表示することも可能となる。特に、これらの情報をカラオケルーム入店時にサーバに直接入力する場合に比して、従業員に作業を低減することができるという利点を有する。特に、これらの情報（来室許容情報及び／又は訪室希望情報）をカラオケルーム入店時に利用者が記載しその記載事項を従業員がサーバに入力する場合に比して、従業員の作業を低減することができるという利点を有する。また、利用者は、入店時ではなく希望する際にその希望する条件を入力することができるので、より効果的に本システムを利用することが可能となる。
【００２１】
また、本願発明に係るシステムにあっては、請求項７記載のように、サーバは、入力された各カラオケルームの利用者が、来室を許容する又は訪室を希望する他のメンバーの性別・年齢等の来室許容条件または訪室希望条件に基いて他のカラオケルームからの訪室希望情報又は来室許容情報との照合を行うように設けられている構成を採用することが好ましい。
【００２２】
かかる構成を採用することにより、来室許容条件又は訪室希望条件に基づいてサーバが照合するため、照合結果に対する利用者の満足度を高めることが可能となる。なお、上記構成を採用する場合にあっては、請求項４記載の構成を同時に採用し、来室許容条件又は訪室希望条件と、メンバー情報との対比をサーバが行い、それに基づいて各カラオケルームからの来室許容情報・訪室希望情報との照合を行うように設けられていることが好ましい。つまり、例えば、訪室を希望するメンバーが訪室希望情報とともにメンバー情報を入力し、他方、来室を許容するメンバーが来室許容情報とともに来室許容条件を入力し、この二つのメンバー情報と来室許容情報が合致する場合に、その二つのカラオケルームに対して、それぞれ相手方の情報を照合結果としてサーバが送るように設けることが可能である。
【００２３】
また、本願発明に係るシステムにあっては、請求項８記載のように、サーバが、入力された各カラオケルームの利用者が、来室を許容する又は訪室を希望する他のメンバーの性別・年齢等の来室許容条件または訪室希望条件を他のカラオケルームに照合結果に関する情報とともに送り、前記表示手段は、前記照合結果に関する情報とともに来室許容条件または訪室希望条件を表示するように設けられている構成を採用することが好ましい。
【００２４】
かかる構成を採用することにより、訪室希望又は訪室許容のメンバーは、照合結果に関する相手のメンバーが要求する他のメンバー（自らのメンバー）の情報を予め知ることができる。
【００２５】
また、本願発明に係るシステムにあっては、請求項９記載のように、前記入力手段が、そのカラオケルームの利用者が歌う曲に関する曲情報を入力可能に設けられているとともに、この曲情報をサーバに送るように設けられている構成を採用することが好ましい。
【００２６】
かかる構成を採用することにより、例えば、サーバが各カラオケルームの情報を照合する際に、この曲情報を条件として照合することが可能となる。また、この曲情報を他のカラオケルームの表示手段に表示することも可能となる。このため、利用者は、相手のメンバーが歌う曲を知り、相手方の情報を得ることができるという利点を有する。
【００２７】
また、上記構成を採用する場合にあっては、請求項１０記載のように、入力手段が、カラオケ機器から曲情報の入力を受けるように設けられている構成を採用することが好ましい。
【００２８】
つまり、請求項９記載の構成を採用するにあっては、利用者が曲情報を入力手段によって入力するように設けることも可能であるが、一般的にカラオケ機器に対して同一の作業を行っていることから、再度のかかる入力作業は極めて煩雑である。このため、請求項１０記載の構成を採用することにより、カラオケ機器が既に受け取った曲情報を入力手段が受け取り、利用者の作業を低減できる利点を有する。なお、この場合、入力手段は、カラオケ機器が有するリモートコントロール入力機から遠隔操作で曲情報を受け取ったり、または、カラオケ機器本体からの曲情報を受け取る構成を採用することができる。
【００２９】
また、本願発明に係るシステムにあっては、請求項１１記載のように、サーバが、入力された各カラオケルームの利用者が歌う曲に関する曲情報に基いて他のカラオケルームからの来室許容情報及び／又は訪室希望情報との照合を行うように設けられている構成を採用することが好ましい。
【００３０】
かかる構成を採用することにより、曲情報に基づいてサーバが照合するため、照合結果に対する利用者の満足度を高めることが可能となる。なお、上記構成を採用する場合にあっては、請求項７記載の構成を同時に採用し、来室許容条件又は訪室希望条件と、曲情報との対比をサーバが行い、それに基づいて各カラオケルームからの来室許容情報・訪室希望情報との照合を行うように設けられていることが好ましい。つまり、例えば、訪室を希望するメンバーの入力手段から訪室希望情報とともに曲に関する訪室希望条件がサーバに送られ、他方、来室を許容するメンバーの入力手段から来室許容情報とともに曲情報が送られ、この訪室希望条件と曲情報とが合致する場合に、その二つのカラオケルームに対して、それぞれ相手方の情報を照合結果としてサーバが送るように設けることが可能である。
【００３１】
また、本願発明に係るシステムにあっては、請求項１２記載のように、サーバが、入力された各カラオケルームの利用者が歌う曲に関する曲情報を他のカラオケルームに照合結果に関する情報とともに送り、表示手段が、前記照合結果に関する情報とともに前記曲情報を表示するように設けられている構成を採用することが好ましい。
【００３２】
かかる構成を採用することにより、訪室希望又は来室許容のメンバーは、照合結果に関する相手のメンバーが歌う曲に基づいて、相手方のメンバーの情報を予め知ることができる。
【００３３】
また、本願発明に係るシステムにあっては、請求項１３記載のように、入力手段が、前記表示手段に表示された照合結果に関する情報に関して来室を許可するか否かについて来室許可確認情報を入力可能に設けられるとともに、サーバにこの来室許可確認情報を送るように設けられ、サーバが、受け取った来室許可確認情報を、照合結果の相手方のカラオケルームの表示手段に送り、表示手段が、来室許可確認情報を表示するように設けられている構成を採用することが好ましい。
【００３４】
かかる構成を採用することにより、来室許可情報を送信したカラオケルームのメンバーが照合結果を確認したうえで、最終的に他のメンバーの来室を許可するかの判断をすることができる。このため、例えば、既に来室許可情報を送っているものの既に退室を予定している場合においては、その来室を拒否することが可能となる。また、例えば、相手方の情報に基づいて改めて来室の許否を判断することも可能となる。
【００３５】
また、本願発明に係るシステムにあっては、請求項１４記載のように、入力手段が、前記表示手段に表示された照合結果に関する情報に関して訪室を希望するか否かについて訪室希望確認情報を入力可能に設けられるとともに、サーバにこの訪室希望確認情報を送るように設けられ、サーバが、受け取った訪室希望確認情報を、照合結果の相手方のカラオケルームの表示手段に送り、表示手段が、訪室希望確認情報を表示するように設けられている構成を採用することが好ましい。
【００３６】
かかる構成を採用することにより、訪室希望情報を送信したカラオケルームのメンバーが照合結果を確認したうえで、最終的に他のメンバーのカラオケルームへの訪室を希望するかの判断をすることができる。このため、例えば、既に訪室希望情報を送っているものの既に退室を予定している場合においては、その来室を断ることが可能となる。また、例えば、相手方の情報に基づいて改めて訪室の希望を判断することも可能となる。
【００３７】
また、本願発明に係るシステムにあっては、請求項１５記載のように、来室許可情報を送信した入力手段は、前記表示手段に表示された照合結果に関する情報に関して来室を許可するか否かについて来室許可確認情報を入力可能に設けられるとともに、サーバにこの来室許可確認情報を送るように設けられ、訪室希望情報を送信した入力手段は、前記表示手段に表示された照合結果に関する情報に関して訪室を希望するか否かについて訪室希望確認情報を入力可能に設けられるとともに、サーバにこの訪室希望確認情報を送るように設けられ、前記サーバは、受け取った来室許可確認情報と訪室希望確認情報とが合致するかを判断し、合致する場合には一方のカラオケルームの表示手段に対して来室許可確認情報又は訪室希望確認情報を送るように設けられており、この来室許可確認情報又は訪室希望確認情報が送られた表示手段は、来室許可確認情報又は訪室希望確認情報を表示するように設けられている構成を採用することが好ましい。
【００３８】
かかる構成を採用することにより、来室許可情報を送信したカラオケルームのメンバーが照合結果を確認したうえで、最終的に他のメンバーの来室を許可するかの判断をすることができる。また、訪室希望情報を送信したカラオケルームのメンバーが照合結果を確認したうえで、最終的に他のメンバーのカラオケルームへの訪室を希望するかの判断をすることができる。
【００３９】
また、本願発明に係るシステムにあっては、請求項１６記載のように、入力手段が、来室許可確認情報又は訪室希望確認情報を入力する際に、その来室を許可する時間や訪室を希望する時間等の付加情報を入力可能に設けられるとともにこの付加情報をサーバに送るように設けられており、サーバが、受け取った付加情報を、照合結果の相手方のカラオケルームの表示手段に送り、表示手段が、来室許可確認情報又は訪室希望確認情報とともに付加情報を表示するように設けられている構成を採用することが好ましい。
【００４０】
かかる構成を採用することにより、来室許可確認情報又は訪室希望確認情報を送信するカラオケルームのメンバーは、たとえば「あと、○○分後に来てください」等の付加情報をもとに各確認情報を送信することかでき、利用者の利便性を向上できる利点を有する。
【００４１】
また、本願発明に係るシステムにあっては、請求項１７記載のように、前記入力手段によって来室許容情報について来室不可とし訪室希望情報について否を入力した場合には、そのカラオケルームの表示手段には、他のカラオケルームの来室許容情報及び訪室希望情報が表示されないように設けられている構成を採用することが好ましい。
【００４２】
これにより、他のカラオケルームのメンバーと係わり合いたくない利用者は、従前と同様のカラオケールの楽しみ方ができ、利用者の嗜好に応じた利用が可能となる利点を有する。
【００４３】
【発明の実施の形態】
以下、本願発明の実施形態について、図面を参酌しつつ以下説明する。なお、図１は本願発明の一実施形態の複数のカラオケルームにおける情報伝達システムの概略を説明するための説明図である。図２乃至図７はいずれも同実施形態の表示手段の表示画面を示す。図２はＡ型情報及びＢ型情報等の入力を促す画面であり、図３は入力確認画面であり、図４はＢ型情報を送信したカラオケルームの表示手段に表示される相手方のメンバー情報に関する画面であり、図５は図４におけるメンバーを特定した際に表示される画面であり、図６はＡ型情報を送信したカラオケルームの表示手段に表示される相手方のメンバー情報に関する画面であり、図７はＢ型情報を送信したカラオケルームの表示手段に来室許可確認情報が表示される画面である。
【００４４】
本実施形態の複数のカラオケルームにおける情報伝達システムは、複数のカラオケルームを有するカラオケ店舗に適用されるものであり、店舗内に設置されたサーバ１００と、各カラオケルームに設置された表示手段２０３及び入力手段２０５を有するルーム端末２００とを備えるものである。なお、本実施形態においては、サーバ１００が店舗内に設置されれているものを説明するが、可能であれば、たとえばいわゆるレンタルサーバ等を利用して、店舗外に設置することも可能である。
【００４５】
前記サーバ１００は、種々のデータが記憶されたハードディスク記憶部等の記憶手段（図示省略）と、前記入力手段２０５等とのデータの接受等の種々の処理を行うＣＰＵ等からなる処理手段（図示省略）とを有している。また、サーバ１００には、前記記憶手段に、本実施形態の複数のカラオケルームにおける情報伝達システムが所望の処理を行うための情報伝達処理用プログラムが記憶されており、このプログラムに基づいて前記処理手段は、後述する各種の処理を行うように設けられている。
【００４６】
また、各カラオケルームには、マイクやアンプ等が接続されるカラオケ機器（図示省略）とともに、前述した表示手段たる表示装置２０３と、前述した入力手段たる操作装置２０５と、これらの表示装置２０３及び操作装置２０５とのデータの接受を行う端末本体２０１とが設置されている。なお、前記ルーム端末２００は、前記表示装置２０３と、前記操作装置２０５と、端末本体２０１とから構成されている。
【００４７】
前記表示装置２０３は、端末本体２０１を介して送られるサーバ１００からのデータに基づいて所望の表示を行うように設けられている。この表示装置２０３は、たとえばテレビ受像機等から構成することができ、前記カラオケ機器が接続される表示装置を兼用することも可能であり、また、この複数のカラオケルームにおける情報伝達システム用の表示装置を別途設置することも可能である。
【００４８】
また、前記操作装置２０５は、カラオケルーム利用者が操作可能に設けられており、たとえばテンキー等からなる入力部（図示省略）が設けられており、この操作装置２０５は、利用者が入力したデータを前記サーバ１００に送ることができるように設けられている。具体的に、この操作装置２０５は、前述のように利用者が操作する操作部と、この操作部とデータを例えば無線ＬＡＮでやりとりする接受部（図示省略）とから構成され、この接受部が、前記操作部からのデータを前記端末本体２０１を介して、サーバ１００に送るように設けられている。なお、かかる操作装置２０５は、たとえばカラオケ機器のリモコンを利用することも可能である。また、本発明においては、前記操作装置２０５に表示画面を設けて、表示手段２０３と入力手段２０５とが物理的に一体的に設けることも設計変更可能な事項である。
【００４９】
また、サーバ１００は、表示手段２０３に対して、カラオケルーム利用者が他のカラオケルーム利用者に来室を許容するか否かの来室許容情報（以下、「Ａ型情報」ということがある）と、そのカラオケルーム利用者が他のカラオケルームに訪室を希望するか否かの訪室希望情報（以下、「Ｂ型情報」ということがある）との入力を促す画面を表示させるように設けられている（図２参照）。ここで、Ａ型情報及びＢ型情報のいずれも可とすることも可能に設けられている。なお、前記表示は、そのカラオケルームの利用者が入店時に表示されるように設けることも可能であり、また、入力手段２０５からの要求に応じてサーバ１００が表示手段２０３に表示させるように設けることも可能である。
【００５０】
また、前記Ａ型情報及びＢ型情報の入力を促す画面には、メンバー情報や来室許容条件の入力も促すように設けられている。ここで、メンバー情報とは、そのカラオケルームの利用者の情報であり、具体的には、その利用者のメンバー構成（男性何名、女性何名）や、そのメンバー個々の年齢・性別から構成している。また、前記来室許容条件は、前記Ａ型情報に関して来室を許容する際に許容する相手方のメンバーを制限する条件であり、具体的には、メンバー構成員が、ａ．男性だけのメンバー、ｂ．女性だけのメンバー、ｃ．男性と女性とのメンバー、ｄ．オール（全て）を選択できるように表示され、また、それぞれ年代や人数を特定できるように表示される。
【００５１】
さらに、前記Ａ型情報及びＢ型情報の入力を促す画面には、そのカラオケルームの利用者が歌う曲に関する曲情報を入力可能に設けられている。ここで、表示画面は、入力手段２０５によって曲番号の入力を促すように設けられている。
【００５２】
なお、上記各情報の入力を促す画面は、一つの画面表示で行ったり、また、各情報の入力を促す画面を設けることも適宜設計変更可能な事項である。
【００５３】
また、前記入力手段２０５は、前記表示画面において各情報の入力が促された際に、それぞれの情報を入力できるように設けられている。具体的には、Ａ型情報及びＢ型情報の入力を促す画面表示がなされると、各情報について可否（他のカラオケルーム利用者に来室を許容するか否か、及び、他のカラオケルームに訪室を希望するか否か）の選択を行うことのできるように設けられている。また、この入力手段２０５は、前記メンバー情報や来室許容条件の入力を促す画面表示に対して、各情報についての入力を行うことのできるように設けられている。さらに、この入力手段２０５は、曲情報を入力を促す画面表示に対して、曲番号の入力を行うことのできるように設けられている。
【００５４】
なお、表示手段２０３は、上記のようにＡ型情報及びＢ型情報等の入力が完了した際に、その送信確認を行う送信確認画面が表示されるように設けられている（図３参照）。この送信確認情報は、既に入力したＡ型情報、Ｂ型情報等の情報を確認したうえでサーバ１００に対して入力情報を送信するように設けられている。なお、利用者が送信確認情報を確認した際に入力誤り等が存在する場合には、その入力情報を編集可能に設けられている。
【００５５】
前記入力手段２０５は、送信確認画面により確認がなされた情報について、前記サーバ１００に送信するように設けられている。具体的には、前記送信確認画面が表示された際に、前記操作装置２０５により意思確認の操作を行うことにより、前記端末本体２０１からサーバ１００に前述の入力された情報が送信されることになる。
【００５６】
ちなみに、本実施形態においては、前記Ａ型情報の入力を促す画面において部屋番号の入力を促すように設けられており、入力手段２０５は、その利用者のカラオケルームの部屋番号が入力でき、前記端末本体２０１を介してサーバ１００に部屋番号を送るように設けられている。なお、かかる部屋番号については、たとえば、端末本体２０１が自らの識別符号を送信して、この識別符号に基づいてサーバ１００が各部屋番号を認識するように設けることにより、利用者による部屋番号の入力を不要とすることも可能である。
【００５７】
また、サーバ１００は、上記各カラオケルームの端末本体２０１（入力手段２０５）から送信される来室許容情報及び／又は訪室希望情報についていずれのカラオケルームからの情報であるかを認識するように設けられている。ここで、かかるカラオケルームの識別は、前記入力手段２０５から入力された部屋番号に基づいて、前記端末本体２０１がサーバ１００に送信した情報に基づいてなされている。なお、端末本体２０１が独自の識別符号を有し、端末本体２０１がこの識別符号をサーバ１００に送信することにより、サーバ１００がいずれのカラオケルームからの情報であるかを認識するように設けることも適宜設計変更可能な事項である。
【００５８】
また、サーバ１００は、各カラオケルームからの来室許容情報及び／又は訪室希望情報との照合を行い、その照合結果に関する情報を来室許容情報及び／又は訪室希望情報を送ったカラオケルームの表示手段２０３に送るように設けられている。具体的には、来室許容情報を可として送信したデータに関する来室許容条件と、訪室希望条件を有りとして送信したメンバー情報とを対比して、両者の条件が合致する場合には、１つの訪室希望情報と他の来室許容情報とが合致したと判断するように設けられている。
【００５９】
また、サーバ１００は、表示手段２０３に対して、前記照合結果に関する情報を表示するように設けられている。具体的には、前記照合の結果、合致すると判断された場合に、照合の結果に関する一のカラオケルームの表示手段２０３に対して、他方の利用者のメンバー情報及び／又は来室許容条件が表示されるように設けられている。
【００６０】
ここで、本実施形態においては、サーバ１００は、Ｂ型情報を有りとしたカラオケルームの表示手段２０３に対して、相手方のメンバーのメンバー情報が表示するとともに、相手方の曲情報も表示されるように設けられている。より具体的には、サーバ１００は、前記照合の結果、条件が合致するメンバー情報の一覧（図４参照）を表示させるように設けられており、この表示手段２０３の一覧の一つのメンバー情報を入力手段２０５によって特定すると、表示手段２０３にはそのメンバーに関する曲情報が表示されるように設けられている（図５参照）。
【００６１】
さらに、このカラオケルームの入力手段２０５は、相手方に対してリクエスト曲に関する曲情報を入力可能に設けられており、つまり、相手方に歌ってもらいたい曲をリクエストできるように設けられている。本実施形態においては、前記相手方のメンバーが入力した曲情報から選択してリクエストができるように設けられている。なお、このようなリクエスト曲に関する曲情報は、サーバ１００に蓄積されるが、１つのカラオケルームに対してリクエスト件数が一定以内（例えば三件以内）に制限されており、一定件数を超える場合には前記リクエスト曲に関しての曲情報の入力に対して「一杯になっていますので、しばらくしてからリクエストして下さい」と表示手段２０３に表示されるように設けられている。
【００６２】
一方、Ａ型情報を可としたカラオケルームの表示手段２０３には、サーバ１００から送られる相手方のメンバー情報が表示されるとともに、前述のリクエスト曲に関する曲情報も表示されるように設けられている。
【００６３】
さらに、この相手方のメンバー情報が表示されるカラオケルームの表示手段２０３には、表示された相手方に対して来室許可確認情報の入力を促す画面が表示される（図６参照）。この来室許可確認情報は、相手方に対して最終的に来室を許可するかを確認する画面であり、来室許可または来室不許可を選択できるとともに、その来室の条件（たとえば時間等）も選択できるように設けられている。具体的には、この画面は、「今から聴きにきて下さい」、「あと○分後に来て下さい」、「自信がなくなったのでキャンセルさせてください」、「もう終わりますのでキャンセルさせてください」等が、前記入力手段２０５によって選択できるように設けられている。
【００６４】
また、端末本体２０１は、上述のように入力された来室許可確認情報をサーバ１００に送り、また、サーバ１００は、訪室を希望した相手方のカラオケルームの表示手段２０３に来室許可確認情報をその来室許可確認情報を送信した部屋番号とともに送信するように設けられ、表示手段２０３は、来室許可確認情報とともに部屋番号を表示するように設けられている（図７参照）。なお、来室許可確認情報について来室を断る情報の場合には、前記表示手段２０３は、部屋番号を表示しないように設けることも可能である。
【００６５】
なお、Ａ型情報及びＢ型情報について、来室許容情報について来室不可とし訪室希望情報について否を入力した場合には、入力手段２０５からその情報がサーバ１００に送られ、そのカラオケルームの表示手段２０３には、その後、他のカラオケルームの来室許容情報及び訪室希望情報が表示されないように設けられている。
【００６６】
上記構成からなる複数のカラオケルームにおける情報伝達システムは、以下のような方法に用いられることになる。
【００６７】
まず、入店時に利用者は、Ａ型情報やＢ型情報等を入力手段２０５によって入力する。このようにして入力されたデータは、入力手段２０５からサーバ１００に端末本体２０１を介して送信され、サーバ１００に蓄積される。そして、サーバ１００は、上記データについていずれの部屋からのデータであるかを認識するとともに、他のカラオケルームから送られたＡ型情報やＢ型情報との照合を行う。そして、照合の結果、条件が合致するカラオケルームが存在する場合には、サーバ１００は、Ｂ型情報を送信したカラオケルームの表示手段２０３に、相手方のメンバー情報等を表示する。そして、Ｂ型情報を送信したカラオケルームにおいて、相手方のリクエスト曲等を入力手段２０５によって選択すると、そのデータがサーバ１００に送られる。そして、サーバ１００は、Ａ型情報を送信したカラオケルームの表示手段２０３に、相手方のメンバー情報等が表示される。そして、表示手段２０３に表示される来室許可確認情報を入力手段２０５によって選択すると、そのデータは、サーバ１００に送信される。このデータを受け取ったサーバ１００は、相手方の表示手段２０３にこのデータを送り、この表示手段２０３には、来室許可確認情報が表示される。
【００６８】
なお、本願発明は、上記実施形態の構成に限定されるものではなく、各請求項記載の範囲内において適宜設計変更可能である。
【００６９】
つまり、メンバー情報や来室許可条件等は本願発明の必須の要件ではなく、また、これらの入力を行う場合にあっても、入力手段からの入力に限定されるものではなく、たとえばサーバに従業員が直接入力するように設けることも可能である。
【００７０】
【発明の効果】
以上説明したように、本願発明に係る複数のカラオケルームにおける情報伝達システムは、他のカラオケルームとの情報伝達を図ることができ、従来の枠を超えたカラオケの楽しみ方が可能となる効果を有する。
【図面の簡単な説明】
【図１】本願発明の一実施形態の複数のカラオケルームにおける情報伝達システムの概略を説明するための説明図である。
【図２】同実施形態表示手段の表示画面を示し、Ａ型情報及びＢ型情報等の入力を促す画面である。
【図３】同実施形態の表示手段の表示画面を示し、入力確認画面である。
【図４】同実施形態の表示手段の表示画面を示し、Ｂ型情報を送信したカラオケルームの表示手段に表示される相手方のメンバー情報に関する画面である。
【図５】同実施形態の表示手段の表示画面を示し、図４におけるメンバーを特定した際に表示される画面である。
【図６】同実施形態の表示手段の表示画面を示し、Ａ型情報を送信したカラオケルームの表示手段に表示される相手方のメンバー情報に関する画面である。
【図７】同実施形態の表示手段の表示画面を示し、Ｂ型情報を送信したカラオケルームの表示手段に来室許可確認情報が表示される画面である。
【符号の説明】
１００  サーバ
２００  ルーム端末
２０１  端末本体
２０３  表示手段（表示装置）
２０５  入力手段（操作装置）
【図１】
2004219630.tif 000003
【図２】
2004219630.tif 000004
【図３】
2004219630.tif 000005
【図４】
2004219630.tif 000006
【図５】
2004219630.tif 000007
【図６】
2004219630.tif 000008
【図７】
2004219630.tif 000009